【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
ディスクアレイ装置を構成する複数のハードディスクドライブのステータスをＧＵＩ環境で管理するディスクアレイ管理システムであって、
前記管理システムは、ＧＵＩ表示画面上でハードディスクドライブを指定する指定手段を含み、
前記指定手段で指定された前記ハードディスクドライブの実機上のＬＥＤを、当該ハードディスクドライブのステータスを表示するための表示とは、区別して識別可能に表示することを特徴とするディスクアレイ装置管理システム。
【請求項２】
請求項１記載のディスクアレイ管理システムによって制御されるディスクアレイ装置であって、
前記ディスクアレイ装置は、少なくとも電源状態又は障害状況の何れか一つを含むハードディスクドライブのステータスを表示するためのＬＥＤを含み、
前記ＬＥＤが、ハードディスクドライブに装備または、ハードディスクドライブ格納場所の周辺に設置されたことを特徴とするディスクアレイ装置。
【請求項３】
請求項１記載のディスクアレイ管理システムが、前記指定手段によって指定されたハードディスクドライブのＬＥＤを他のハードディスクドライブのＬＥＤとは区別して表示するための表示態様を設定する表示態様設定手段を有することをと特徴とするディスクアレイ装置管理システム。
【請求項４】
前記表示態様設定手段によって、ＬＥＤの点灯滅の態様、または、点灯滅速度が指定できることを特徴とする請求項３記載のディスクアレイ装置管理システム。
【請求項５】
請求項１記載のディスクアレイ管理システムにおいて、実機上のＬＥＤ点滅、点滅速度、点灯の組み合わせを任意に設定可能とすることを特徴とするディスクアレイ装置管理システム。
【請求項６】
複数のハードディスクドライブで構成されるディスクアレイ装置のハードディスクドライブのステータスをＧＵＩ環境で管理するディスクアレイ管理システムであって、
前記ディスクアレイ管理システムは、管理ツールを有し、
前記管理ツールは、ＧＵＩ上でハードディスクドライブを指定する手段と、ＧＵＩ上で指定したハードディスクドライブの実機上の位置を特定する手段とを有し、
前記特定された位置を、ハードディスクドライブナビゲーション装置を用いて、実機近傍で認識させることを可能とすることを特徴とするディスクアレイ装置管理システム。
【請求項７】
前記ハードディスクドライブナビゲーション装置が、ＬＥＤまたは、有機ＥＬ等のディスプレイからなることを特徴とする請求項６記載のディスクアレイ装置管理システム。
【請求項８】
前記ハードディスクドライブナビゲーション装置が音声ナビゲーションを可能にするスピーカーを備えることを特徴とする請求項７記載のディスクアレイ装置管理システム。
【請求項９】
請求項１記載のディスクアレイ管理システムは、ハードディスクドライブの操作順序に関する情報を入力する順序情報入力手段を含み、
前記順序情報入力手段で入力された順序情報に基づいて、ＬＥＤ表示順を制御することを特徴とするディスクアレイ装置管理システム。
【請求項１０】
請求項６記載のディスクアレイ管理システムは、ハードディスクドライブの操作順序に関する情報を取得する順序情報取得手段を含み、
前記ナビゲーションシステムが、前記取得された順序情報に基づいて、操作順序を識別可能にナビゲートすることを特徴とするディスクアレイ装置管理システム。
【請求項１１】
外観が略同一で装置毎に装置の状況を表示する表示部を有する複数の装置によって構成されるシステムをＧＵＩ環境で管理する装置管理システムにおいて、
前記管理システムは、前記複数の装置を指定する指定手段と、
前記指定手段の指定した装置の表示部の表示態様を設定する表示態様設定手段と、を有し、
前記管理システムが、前記指定手段によって指定された装置の表示部に前記表示態様設定手段によって設定された態様で表示を行わせることを特徴とする装置管理システム。
【請求項１２】
前記装置が、ディスアクアレイ上に搭載されたハードディスクドライブであることを特徴とする請求項１１記載の装置管理システム。
【請求項１３】
請求項１１記載の管理システムによって表示部の表示態様を制御される複数のハードディスクドライブを有するディスクアレイ装置。
【請求項１４】
ディスクアレイ装置を構成する複数のハードディスクドライブをＧＵＩ環境で管理するディスクアレイ管理システムであって、
前記管理システムは前記ＧＵＩ表示画面上でレイドグループを指定する指定手段を含み、
前記指定手段で指定された前記レイドグループに属するハードディスクドライブの実機上のＬＥＤを、当該ハードディスクドライブのステータスを表示するための表示とは、区別して識別可能に表示することを特徴とするディスクアレイ装置管理システム。
【請求項１５】
複数のディスクドライブと、前記ディスクドライブを制御するストレージコントローラとを備え、且つサービスプロセッサに接続するストレージシステムを管理するための方法であって、
ディスクグループ選択領域と配置領域とを同時に表示するグラフィックユーザインターフェースを前記サービスプロセッサの表示画面に表示するステップと、
前記ディスクグループ選択領域に表示されている複数のディスクグループの中から、共に同一の論理ボリュームを定義する複数のディスクドライブを含むディスクグループを選択する選択ステップと、
前記ストレージシステムのディスクドライブの実際の配置と、前記配置領域上の表示位置とを対応付けた前記ディスクドライブのマッピング情報を表示するように構成された前記配置領域に、前記選択されたディスクグループに含まれるディスクドライブを、選択されなかったディスクグループに含まれるディスクドライブとは区別して表示するステップと、
前記選択されたディスクグループに含まれるディスクドライブを管理者が容易に捜せるように、前記選択されたディスクグループに含まれるディスクドライブに関連付けられた単一又は複数の位置決め装置を動作させる動作ステップと、
を備える、ストレージシステムの管理方法。
【請求項１６】
請求項１５に記載のストレージシステムの管理方法であって、前記ストレージシステムは、リモートホストに接続されたディスクアレイ装置である、ストレージシステムの管理方法。
【請求項１７】
請求項１５に記載のストレージシステムの管理方法であって、前記ストレージシステムから遠隔地に所在する前記サービスプロセッサの管理プログラムを動作させるステップを更に含み、前記選択ステップと前記動作ステップは、前記管理プログラムを使用して実行される、ストレージシステムの管理方法。
【請求項１８】
請求項１５に記載のストレージシステムの管理方法であって、前記選択ステップにおいて選択されたディスクドライブの表示態様をその他のディスクドライブの表示態様とは異なるようにして前記サービスプロセッサの表示画面に表示するステップを更に備える、ストレージシステムの管理方法。
【請求項１９】
請求項１８に記載のストレージシステムの管理方法であって、前記複数のディスクドライブは、ＲＡＩＤグループを形成するように構成されており、前記選択ステップは、複数のディスクドライブから成るサブセットを含む特定のＲＡＩＤグループを選択するステップを含む、ストレージシステムの管理方法。
【請求項２０】
請求項１５に記載のストレージシステムの管理方法であって、前記位置決め装置は、前記複数のディスクドライブに近接して配置され、前記選択されたディスクドライブの位置についての情報を提供する前記ストレージシステムの管理プログラムを使用して起動するように構成されている、ストレージシステムの管理方法。
【請求項２１】
請求項１５に記載のストレージシステムの管理方法であって、前記ストレージシステムは、複数の位置決め装置を備え、各々の位置決め装置は、特定の一組のディスクドライブに対応付けられている、ストレーシステムの管理方法。
【請求項２２】
請求項２１に記載のストレージシステムの管理方法であって、前記特定の一組のディスクドライブは、前記位置決め装置と前記ディスクドライブとが一対一で対応付けられるように、単一のディスクドライブから成る、ストレーシステムの管理方法。
【請求項２３】
請求項２２に記載のストレージシステムの管理方法であって、前記位置決め装置は、発光ダイオードであり、前記選択されたディスクドライブに対応付けられた単一又は複数の発光ダイオードを、選択されなかったディスクドライブに対応付けられた発光ダイオードとは異なるように発光させることで、前記選択ステップにおいて選択されたディスクドライブが識別される、ストレージシステムの管理方法。
【請求項２４】
請求項１５に記載のストレージシステムの管理方法であって、前記位置決め装置は、前記ストレージシステムに装備された視聴覚装置である、ストレージシステムの管理方法。
【請求項２５】
請求項１５に記載のストレージシステムの管理方法であって、前記位置決め装置を使用して前記選択されたディスクドライブを位置決めするステップと、前記選択されたディスクドライブを提供するステップとを更に備える、ストレージシステムの管理方法。
【請求項２６】
複数のディスクドライブと、前記ディスクドライブを制御するストレージコントローラとを備えるストレージシステムを制御するコンピュータプログラムであって、
前記コンピュータプログラムは、前記ストレージシステムに、
ディスクグループ選択領域と配置領域とを同時に表示するグラフィックユーザインターフェースをサービスプロセッサの表示画面に表示するステップと、
前記ディスクグループ選択領域に表示されている複数のディスクグループの中から、共に同一の論理ボリュームを定義する複数のディスクドライブを含むディスクグループを選択するステップと、
前記ストレージシステムの前記ディスクドライブのマッピング情報を表示するように構成された前記配置領域に、前記選択されたディスクグループに含まれるディスクドライブを、選択されなかったディスクグループに含まれるディスクドライブとは区別して表示するステップと、
前記選択されたディスクグループに含まれるディスクドライブを管理者が容易に捜せるように、前記選択されたディスクグループに含まれるディスクドライブに関連付けられた単一又は複数の位置決め装置を動作させるステップと、
を実行させるためのコンピュータプログラム。
【請求項２７】
請求項２６に記載のコンピュータプログラムであって、前記単一又は複数の位置決め装置は、選択された単一又は複数のディスクドライブが容易に捜せるように周期的に点滅可能な発光装置である、コンピュータプログラム。
【請求項２８】
請求項２７に記載のコンピュータプログラムであって、前記単一又は複数の発光装置は選択されたディスクドライブの特定の抜去順序の情報を提供するために、順番に点滅される、コンピュータプログラム。
【請求項２９】
リモートホストに接続され、複数のディスクドライブと、前記ディスクドライブを制御するストレージコントローラとを備えるストレージシステムを管理するストレージシステムであって、
複数のディスクドライブによって提供される記憶領域と、
前記記憶領域を提供する前記ディスクドライブを制御するディスクコントローラと、
ディスクグループ選択領域と配置領域とを同時に表示するグラフィックユーザインターフェースをサービスプロセッサの表示画面に表示する手段と、
前記ディスクグループ選択領域に表示されている複数のディスクグループの中から、共に同一の論理ボリュームを定義する複数のディスクドライブを含むディスクグループを選択する手段と、
前記ストレージシステムの前記ディスクドライブのマッピング情報を表示するように構成された前記配置領域に、前記選択されたディスクグループに含まれるディスクドライブを、選択されなかったディスクグループに含まれるディスクドライブとは区別して表示する手段と、
前記選択されたディスクグループに含まれるディスクドライブを管理者が容易に捜せるように、前記選択されたディスクグループに含まれるディスクドライブに関連付けられた単一又は複数の位置決め装置を動作させる手段と、
を備え、
前記選択されたディスクドライブに対応付けられた前記位置決め装置は、前記選択されたディスクドライブの特定の抜去順序の情報を提供する、ストレージシステム。
【請求項３０】
ストレージシステムであって、
複数のハードディスクドライブと、複数の発光装置とを備え、各ハードディスクドライブが少なくとも一つの発光装置に対応付けられている、ディスクアレイ装置と、
前記ディスクアレイ装置に接続され、前記ディスクアレイ装置のデータ入出力を制御するディスクコントローラと、
前記ディスクコントローラに接続され、前記ストレージシステムを管理するサービスプロセッサであって、前記ディスクアレイ装置によって提供される単一又は複数のハードディスクドライブの選択を可能にし、選択された単一又は複数のハードディスクドライブに対応付けられた単一又は複数の発光装置の動作を要求する管理プログラムを含むサービスプロセッサと、
を備え、
前記管理プログラムは、前記ストレージシステムに、
ディスクグループ選択領域と配置領域とを同時に表示するグラフィックユーザインターフェースをサービスプロセッサの表示画面に表示するステップと、
前記ディスクグループ選択領域に表示されている複数のディスクグループの中から、共に同一の論理ボリュームを定義する複数のハードディスクドライブを含むディスクグループを選択するステップと、
前記ストレージシステムの前記ハードディスクドライブのマッピング情報を表示するように構成された前記配置領域に、前記選択されたディスクグループに含まれるハードディスクドライブを、選択されなかったディスクグループに含まれるハードディスクドライブとは区別して表示するステップと、
前記選択されたディスクグループに含まれるハードディスクドライブを管理者が容易に捜せるように、前記選択されたディスクグループに含まれるハードディスクドライブに関連付けられた単一又は複数の位置決め装置を動作させるステップと、
を実行させるためものであり、
選択された単数又は複数のハードディスクドライブの位置情報を提供するために、選択されたハードディスクドライブに対応付けられる単一又は複数の発光装置は、選択されなかったハードディスクドライブに対応付けられる単一又は複数の発光装置とは異なるように動作する、ストレージシステム。
【請求項３１】
請求項３０に記載のストレージシステムであって、各ハードディスクドライブは、少なくとも二つの発光装置が対応付けられており、そのうちの一つの発光装置は、対応するハードディスクドライブが動作しているか否かを表示するものであり、他の一つの発光装置は、対応するハードディスクドライブが故障しているか否かを表示するものであり、この二つの発光装置のうち少なくとも一つの発光装置は、対応するハードディスクドライブが選択されたときに点滅するものであり、前記発光装置は、発光ダイオードを含む、ストレージシステム。
【請求項３２】
請求項３０に記載のストレージシステムであって、各ハードディスクドライブは、第一の発光装置、第二の発光装置、及び第三の発光装置に対応付けられており、前記第一の発光装置は、対応するハードディスクドライブが動作しているか否かを表示するものであり、前記第二の発光装置は、対応するハードディスクドライブが故障しているか否かを表示するものであり、前記第三の発光装置は、対応するハードディスクドライブが選択されたか否かを表示するものである、ストレージシステム。
【請求項３３】
複数のＲＡＩＤグループを提供する複数のディスクドライブと、前記ディスクドライブを制御するディスクコントローラと、ＲＡＩＤグループの管理を行うサービスプロセッサとを備えるストレージシステムであって、
前記サービスプロセッサは、
ＲＡＩＤグループ選択領域とＲＡＩＤグループ配置領域とをＧＵＩインターフェースに表示する手段と、
前記ＲＡＩＤグループ選択領域に表示されている複数のＲＡＩＤグループの中から管理者によって選択されたＲＡＩＤグループの配置情報を前記ディスクコントローラに要求する手段と、
前記ディスクコントローラから取得した配置情報に基づいて、前記選択されたＲＡＩＤグループに属するディスクドライブと選択されなかったＲＡＩＤグループに属するディスクドライブとが視覚的に区別されるように前記選択されたＲＡＩＤグループに属するディスクドライブの配置情報を前記ＲＡＩＤグループ配置領域に表示する手段と、を備え、
前記ディスクコントローラは、
前記選択されたＲＡＩＤグループに属するディスクドライブを管理者が容易に識別できるように、前記選択されたＲＡＩＤグループに属するディスクドライブに関連付けられた単一又は複数の発光装置を動作させる手段を備える、ストレージシステム。